(57)【特許請求の範囲】
【請求項１】
前後に対向して配置され、リールの脚を受け入れる開口を有する１対のフード部を有し、
該１対のフード部の内、少なくとも１方のフード部が移動式であり、該移動フード部はナット部の回動によって前後に移動可能に構成されており、
前記ナット部の内側に配設され、該ナット部の内面に設けた係合部に係合し、所定力で離脱可能な凸部を有し、
該凸部の両側には概ね円弧形状に延伸した脚部を設け、
互いに概ね１８０度離隔した位置に、前記脚部を常時付勢して凸部を釣竿の半径方向に付勢するばね部材を配設した
ことを特徴とするリール装着式釣竿。
【発明の詳細な説明】
【０００１】
【発明の属する技術分野】
本発明はリールを装着して釣りを行う釣竿に関する。
【０００２】
【従来の技術】
リールを使用する型の釣竿には、リールを固定するためにリール装着装置を設けている。このリール装着装置には、釣竿に対して固定される（或いは一体化されている）本体部と、対向した１対の開口を有する１対のフード部とが設けられている。この内少なくとも一方は移動式のフード部であり、ナット部材によって前後に移動させられ、リールの脚を押し付けて固定する。ところが釣りにおいてはこのリール装着装置に様々な力が作用するため、不用意に移動フード部が弛むことがある。これを防止するための工夫が、実開平２−３２５８号公報や特開平１０−５２１９５号公報に開示されている。
前者では、操作環に設けた係合突起をねじ部に設けた回り止め溝に係合させてねじ環（ナット部）の弛みを防止している。また後者では、移動シート部（移動フード部）とナット部との間に回り止め部材を配設してナット部の弛みを防止している。
【０００３】
【発明が解決しようとする課題】
然しながら、前者では不用意な弛みは防止されるが、リールを取外す場合には操作環を操作して係合突起の係合を外した上でねじ環を回転させなければならず面倒である。また、係合機構が外部に露出しており、外観が良くないと共に、ねじ部に砂等が侵入し易い。後者では、ナット部の弛みを防止するのに役立つが、所定以上の力が作用すれば弛み、この場合、係合の外れるクリック音に気付いてナット部を締め直せばよいが、このクリック音が小さ過ぎれば釣人は気付かず、そのまま釣りを行っていると投擲が不正確になったり、リールを落下させたりする。後者公報の構造では、回り止め部材は移動シート部とナット部との間に長手方向に設けられており、リール脚固定の反力を受けている移動シート部から常時押圧されている。このため、大きなクリック音が発生し難く、弛んだことに釣人が気付かないという不確実さがある。
【０００４】
依って本発明は、リール脚固定の不用意な弛みを防止すると共に外部から砂等の侵入を防止でき、もし弛んだ際にそのことを認識し易い、即ち、クリック音を発生させる機構の作動の安定化と共にコンパクトに配設できるリール装着式釣竿を提供する。
その他の目的に、小型化や、リールの取り外しを簡便にすることや、クリック音を発生させるばね部材の作動の安定や耐久性を向上させることがある。
また、リール脚固定の不用意な弛みを防止すると共に、もし弛んだ際にはクリック音を発生させ、小型化に寄与するクリック機構を有するリール装着式釣竿を提供する。
【０００５】
【課題を解決するための手段】
請求項１では、前後に対向して配置され、リールの脚を受け入れる開口を有する１対のフード部を有し、該１対のフード部の内、少なくとも１方のフード部が移動式であり、該移動フード部はナット部の回動によって前後に移動可能に構成されており、前記ナット部の内側に配設され、該ナット部の内面に設けた係合部に係合し、所定力で離脱可能な凸部を有し、該凸部の両側には概ね円弧形状に延伸した脚部を設け、互いに概ね１８０度離隔した位置に、前記脚部を常時付勢して凸部を釣竿の半径方向に付勢するばね部材を配設したことを特徴とするリール装着式釣竿を提供する。凸部を支える脚部は、より聞き取り易いクリック音を出すためにばね部材で構成するのが好ましい。
【０００６】
ばね部材と係合部等のクリック機構がナット部の内側に設けられており、ナット部というカバー部材によって覆われているため露出しておらず、外部から砂等の侵入を防止できると共に、内側の凸部がばね部材に付勢されて半径方向外側のカバー部材であるナット部と係合して音響させるため、響きがよく、クリック音が聞き取り易い。更に、ばね部材に付勢される凸部は半径方向に押圧力を作用させるため、リール脚固定の反力を受け難く、係合力の安定した係合が可能となり、ナット部が弛んだ際に充分なクリック音が発生し易い。更には、脚部が概ね円弧形状に延伸しているため、竿杆形状に沿って配設でき、また、ばね部材は互いに概ね１８０度離隔した位置に配設されているため、ばね部材を竿杆形状に沿った接線方向に指向させて凸部を半径方向に付勢できる。従って、ばね部材を竿杆の円周形状に沿わせるため比較的長くしても半径方向寸法には大きな影響を与えず、リール装着部位の外径が大きくなり過ぎることを防止でき、小型化に寄与する。また、凸部は所定力で係合部から離脱可能であるため、リールを取り外す際には所定力以上でナット部を弛める方向に回動させればよく、また、所定力まではナット部が弛まず、リール脚を安定して固定できる。
【０００７】
【発明の実施の形態】
以下、本発明を添付図面に示す形態例に基づき、更に詳細に説明する。
図１は本発明に係るリール装着式釣竿の参考用に要部を示す側面図であり、図２はＢ−Ｂ矢視線による拡大横断面図、図３は部位Ｃの拡大縦断面図である。合成樹脂製の筒状のリールシート本体１１２を、繊維強化樹脂製の中空竿杆、即ち、竿管１０に対して套嵌させ、接着等によって固定している。所定位置には開口１１４Ｋを有する固定フード部１１４が設けられ、これに対向するように開口１１６Ｋを有する移動フード部１１６がナット部１１８の回動によって長手方向に移動自在に構成されている。
【０００８】
即ち、リールシート本体１１２の所定位置には表面に雄ねじが形成されており、ナット部１１８の内面にはこれに螺合する雌ねじ１１８Ｎが形成されている。また、リールシート本体１１２には長手方向に溝１１２Ｍ’が形成されており、一方、移動フード部１１６にはこの溝に係合してスライド可能に凸部１１６Ｋが形成されている。移動フード部とナット部とは図３で説明するように相対回転可能に係合されている。従って、ナット部の回転に伴って移動フード部１１６が前後に移動し、リールの脚を固定したり開放できる。
【０００９】
図３に示す形態例では、ナット部はナット本体部１１８と連結部材１２０とを有しており、共に回転する。連結部材の一端部の連結凹凸部１２０Ａは移動フード部１１６の端部に相対回転自在に係合しており、他側端部の連結凹凸部１２０Ｂはナット本体部１１８の端部に係合すると共に接着固定している。このように連結部材１２０を用いるのは後述のクリック機構の組み込み作業を容易にする等の目的からである。１２２はステンレス等の板状金属部材のリングであり、樹脂製の連結部材１２０とナット本体部１１８との連結を強固ならしめると共に、接続部位を覆って美観を向上させている。
【００１０】
ナット本体部（ナット部）１１８の雌ねじ部１１８Ｎの連結部材側延伸部は厚さ方向（半径方向）内側が削られており、ここに前記連結部材１２０が配設されていると共に、該連結部材と雌ねじ部との間位置に空間を設けている。ここにクリック機構を配設している。即ち、図１にも示されているように、ナット部はその外径を比較的大きく設定し易く、このため径方向に作用するクリック機構を内部に配設し易い。クリック機構は、ナット本体部１１８の内面に設けた係合部としての凹部１１８Ｋと、弾性手段として該凹部に係合すると共に、所定の力で離脱可能な半環状のばね部材１２６と、このばね部材を支持する環状支持部材１２４とを具備する。
【００１１】
図６は、図２の断面図において、上記環状支持部材１２４のみを描いた（ａ）とそのＦ矢視線による側面図である（ｂ）とを並列させている。２個のリング部１２４Ａ，１２４Ｂを下部連結部１２４Ｃと、上部連結部１２４Ｋと、左右の連結部１２４Ｄ，１２４Ｅとで連結した構造としている。この図２に示すように、ばね部材１２６はその両端部近くの外側表面を前記連結部材１２４Ｄ，１２４Ｅの内側表面１２４Ｓ，１２４Ｓ’に当接させて保持されている。こうして環状支持部材１２４がばね部材１２６を保持したユニット品を、ナット本体部１１８の上述の位置に挿入配設し、この状態のナット本体部の端部に、既述の如く連結部材１２０を組み込んで固定させる。従って、クリック機構の組み込みが極めて容易になる。
【００１２】
図２に明示されているように、クリック機構の環状支持部材１２４の上部連結部材１２４Ｋは内方に突出しており、一方、リールシート本体１１２には、前記溝１１２Ｍ’に続き、より小さな半径位置に溝１１２Ｍが設けられており、この溝に係合し、ナット部の回転時に連れ回りすることなく、長手方向に移動するのみである。既述の如く、ナット本体部１１８内面には、係合部としての凹部１１８Ｋが円周方向に同じピッチで多数設けられている。前記ばね部材の中央位置の凸部１２６Ｔがこの凹部を径方向に常時押圧している。リール脚を装着固定するために、釣人の手でナット部を回動させると、凸部１２６Ｔと凹部１１８Ｋとの係合離脱の過程で、所謂クリック音を発生させ、締結の節度感が得られる。
【００１３】
また、一旦、リール脚を固定した際には、この凸部と凹部の係合は、ナット部の弛み止めとなり、リール脚固定の不用意な弛みを防止する。もし弛んだ際には、釣人はそのクリック音で弛みを認識できる。更には、このクリック機構はナット部であるカバー部材の内側に存在し、ここに外部から砂等が侵入することを防止できると共に、半径方向内側のばね部材が外側のカバー部材であるナット部と係合して音響させるため、響きがよく、クリック音が聞き取り易い。更に、ばね部材は径方向に押圧力を作用させるため、リール脚固定の反力を受け難く、係合力の安定した係合が可能となり、ナット部が弛んだ際に充分なクリック音が発生し易い。図１２で説明するように機構がコンパクトに配設でき、リール装着部の小径小型化が可能となる。
【００１４】
ばね部材１２６は、環状支持部材１２４の薄い連結部材１２４Ｄ，１２４Ｅの内側表面であって、夫々が斜め下の下部連結部１２４Ｃの方向に向かった傾斜状の案内面１２４Ｓ，１２４Ｓ’によって支持案内されている。このため、ばね部材１２６は常時上方にばね力を作用させており、このため、ナット部の凹部１１８Ｋを押圧し、ナット部の回転時にばね部材が上記案内面に沿って押し下げられても、隣の凹部内に再び押し上げられて係合する。
【００１５】
図４は、図３の第１参考形態例の変形例である第２参考形態例であり、相違点を主体に説明する。移動フード部１１６と相対回転自在に連結している連結部材１２０’は、移動フード部側の端部の連結凹凸部１２０Ａ’によって移動フード部と回転自在に係合しており、他端部の連結凹凸部１２０Ｂ’はステンレス等の金属製の第３部材１１９の連結凹凸部１１９Ａと係合して接着等によって固定されている。この第３部材１１９の他端部の連結凹凸部１１９Ｂは内面に雌ねじ１１８Ｎ’の設けられたナット本体部１１８’の端部に係合して接着等によって固定されている。移動フード部と直接係合している連結部材１２０’は回転自在であるため、ナット部の一部であるがナット本体部の一部ではなく、また、第３部材１１９は移動フード部１１６に直接に係合していないため、連結部材ではなくてナット本体部１１８’の一部とする。
【００１６】
ナット部のねじ部１１８Ｎ’と連結部材１２０’とを除き（従って、移動フード部のナット部側の端部との連結機構部を除いている）、これらの間空間にクリック機構を配設している。前記金属製第３部材１１９は、図示の如く、ナット本体部１１８’の外面に沿った大きな半径位置に配設されており、係合部１１９Ｋはその第３部材１１９の内面に設けられており、金属製のばね部材１２６との係合でクリック音がより聞き取り易く（高音に）響く。
【００１７】
第３部材はクリック機構にとってカバー部材となっており、砂等の侵入を防止でき、また、金属製であるため第１形態例のような樹脂製の場合よりもより薄く形成でき、その分内面側に大きな空間が確保でき、クリック機構の配設空間が大きく確保できるため、半径方向に大きくなる構造も採用し易い。逆に言えば、竿管１０の直径が強度設計上等の理由で大きくなっており、このためリール固定装置の構造にも径方向寸法の制約がある場合等には、係合部１１９Ｋ領域がより薄くできる第２形態例は非金属製（合成樹脂等の）第１形態例よりも好ましい。
【００１８】
図５は第３参考形態例であり、第１参考形態例に対して相違するところを主体に説明する。図３のナット本体部１１８の移動フード部側延伸部が無くなり、それに代わって連結部材１２０が図５のように延伸したと考える。即ち、連結部材１２０”は移動フード部１１６の端部と連結凹凸部１２０Ａ”によって回動自在に係合しており、他端部側がナット本体部１１８”の外表面に向かって傾斜状に半径を大きくしつつ延伸し、更に、その端部を伸ばして連結凹凸部１２０Ｂ’をナット本体部１１８”に外側から係合し、接着等によって固定している。従って、この場合、クリック機構は連結部材１２０”の内面と竿管側のリールシート本体１１２との間に配設されている。
【００１９】
ナット本体部１１８”と共に回転する連結部材１２０”はナット部の一部であり、また、移動フード部のナット部側端部との連結凹凸部１２０Ａ”領域である連結機構部とナット本体部１１８”の雌ねじ１１８Ｎ”とを除いた間にクリック機構が配設されている。従って、第３形態例も本願の形態例である。１２２と１２８はステンレス製等のリング部材であり、美観に寄与すると共に、ナット部を回転させてリール脚を締め付ける際に、樹脂製等の連結部材が移動フード部１１６の端部に押圧されて変形することを防止し、また、樹脂製等のナット本体部１１８”が連結部材に押圧されて変形することを防止するためでもある。
【００２０】
この第３参考形態例のように連結部材１２０”の、移動フード部から遠い側の連結凹凸部１２０Ｂ”がナット本体部１１８”に外側から係合する構造とすれば、第１、第２の形態例と比較すれば判るように、その連結凹凸部１２０Ｂ” との連結長さ分程度クリック機構の配設空間が増加する。言い換えれば、その分、ナット部とリールシート本体との螺合部の長さを長くできる。或いは、螺合長さも同じとすれば、その分短くできる。
【００２１】
以上では、連結部材がナット本体部と共に回転する場合を例示したが、ナット本体部が連結部材に対して相対回転する構造もあり得る。即ち、例えば、図３において、連結部材１２０を移動フード部１１６に対して係合させて接着等によって固定し、他方、連結凹凸部１２０Ｂをナット本体部１１８に対して相対回転自在に係合させる。この場合の連結部材はナット部の一部ではなく、移動フード部の一部となる。更に、この場合の連結部材をクリック機構の環状支持部材１２４と一体に形成することもできる。以上の他の形態例においても同様である。
また、クリック機構はナット部の移動フード側とは反対側の端部に設けることもできる。
【００２２】
図７から図９は第４の参考形態例を示す図であり、図７はリール装着部の側面図、図８はその要部縦断面図、図９は図８の矢視線Ｅ−Ｅによる横断面図である。竿管１０に対して接着等によって一体化固定されている筒状の本体部３２の前側所定位置（この図では下側）にリール脚３０の一端部を受け入れる開口３４Ｋを有する固定フード部３４が一体形成されており、これに対向して開口３６Ｋを有する移動フード部３６が前後動可能に設けられている。この移動フード部３６は本体部に設けた空間部３２Ｋを区画形成する壁部に規制されて前後動する。
【００２３】
また、上記移動フード部の後部には雄ねじが形成されており、ナット部３８がこれに螺合している。このナット部は本体部３２の後端に固定されたカバー部材４６と本体部の段差部との間に配設されており、この間において回転可能である。従って、ナット部を回転させても前後移動はしないため、これに螺合している移動フード部３６が前後に移動する。この１対のフード部でリールの脚を固定する。４０はデザインを兼ねたナット部端面の摩耗防止リングである。
【００２４】
この形態例では移動フード部とは逆側のナット部端部位置にナット部の不用意な弛みの防止装置が設けられている。即ち、ナット部内周部には交互に凹凸になった係合部４４が形成されており、一方、本体部３２に設けられた１対の突出部３２Ａ，３２Ａ’（両突出部を結べば直径から離れた弦となる位置に設けられている）に、曲げられた板ばね部材４２の両端部外周が押圧当接して、図９の左右方向には広がらないように規制されているが、ばね部材はその反力で押圧保持されている。
【００２５】
また、折曲げ凸部４２Ｔはナット部の係合部４４に係合しているため、ナット部の不用意な弛み止めとなる。この凸部４２Ｔの基部は本体部３２からの１対の突出部３２Ｔ，３２Ｔ’によって左右方向への移動が規制されており、ナット部を回転させれば、図９の状態からでは、ばね部材は係合部の凹部から押出されて隣の凸部に乗り上げることにより図９の下方、即ち、凸部４２Ｔの頂点とナット部の回転中心とを結ぶ方向に下がるが、１対の突出部３２Ａ，３２Ａ’が直径から離れた弦となる位置に設けられているため、ばね部材が下がればそれに応じて上方に向う反力が生じ、再びナット部の隣の凹部に係合する。
【００２６】
この凹部から隣の凹部に移動する際に、ばね部材の弾性変形を伴う係合凹凸部との衝突によってクリック音が生ずる。この際にばね部材を拘束規制するのは１対の突出部３２Ｔ，３２Ｔ’と１対の突出部３２Ａ，３２Ａ’だけであり、その他の領域は振動変形自由であるため、大きな音を発生でき、もし、ばね部材の折曲げ凸部４２Ｔとナット部の係合部４４との係合が外れる大きさの外力を受け、弛んでナット部が回転すれば、釣人はナット部３８の弛んだことを耳で感知できる。また、クリック音はリール脚を固定する方向へのナット部の回転の際にも生じる。
【００２７】
この場合のナット部の不用意な回転の防止装置（クリック機構）も、ばね部材は径方向に押圧力を作用させて移動フード部とは接触しておらず、リール脚固定の反力を受け難く、係合力の安定した係合が可能となり、ナット部が弛んだ際に充分なクリック音が発生し易い。また、ナット部というカバー部材で覆われているため、砂等の侵入を防止でき、美観に優れ、響きがよく、クリック音が聞き取り易い。
【００２８】
図１０と図１１とは第５参考形態例を示し、図１０は竿管１０のリール装着部近くの要部縦断面図であり、図１１は矢視線Ｐ−Ｐによる拡大横断面図である。竿管１０に固定される本体部１２には、後部の開口５４Ｋを有する固定フード部５４が一体化されており、この下方位置にトリガー５０が一体形成されている。本体部１２の先部外周には雄ねじ部が形成されており、この雄ねじ部に螺合する雌ねじ部を設けたナット部（ナット本体部）５８が前記雄ねじ部に螺合している。
【００２９】
該ナット部の前記固定フード部側の端部には、環状の開口５６Ｋを有する移動フード部５６が回転自在に係合し、これを接着等によって固定している。ここでは開口５６Ｋが円周方向全体に亘って設けられており、ナット部と共に回転しながら前後動する。組み立ての都合上このように分割構成されている。この移動フード部は回転する必要はなく、前記接着固定をしないでナット部のみを回転させ、該移動フード部５６は前後動のみさせてもよい。参照番号８０は尻栓部材である。
【００３０】
前記雄ねじ部には縦溝を一条設けており、この溝に係合する係止条部２０Ｔ’を内面部に設けた樹脂製の環状部材２０’が、前記ナット部材の内部空間に配設され、前記縦溝に係止して本体部に対して回転せず縦方向に移動可能に組み込まている。図１１に示すように、この環状支持部材の中には、板ばね部材２２’が、部材自身のばね力によってその両端部が外側から押圧されることによって保持されており、中央位置の凸部２２Ｔ’が環状支持部材の外側に突出している。
【００３１】
ナット部材５８の内周は凹凸係合部２４’に形成されており、板ばね部材２２’の凸部２２Ｔ’が係合しており、板ばね部材は図９において説明した板ばね部材４２と同じ理由で同様に作動する。この板ばね部材２２’は、図９の場合の板ばね部材４２と同様に、支持されている部位が僅かであり、その他の部位はこの支持領域より長く、自由な領域であるため、クリック音が大きくなる。ナット部材５８の外周であって、環状支持部材２０’の配設されている部位の外周部に、金属製の管状部材５９が螺着されており、外観を向上させると共に、クリック音が響き易い。また、その他の領域には天然コルクやジュラコルク（商品名）の発泡性部材５８Ｇを設けて握り性を向上させている。
この第６参考形態例もナット部であるカバー部材に覆われており、他の形態例と同様な効果を有する。
【００３２】
図１２は図２等で示すクリック機構の原理説明図である。竿杆の中心をＰＯとし、凸部１２６Ｔを有するばね部材１２６は、左右両側に円周方向に延伸した脚部１２６Ａ，１２６Ａ’を有し、フリー状態において凸部１２６Ｔと中心を通る線に対して左右対称な形状である。その脚部の端部の間隔を縮めるようにして、竿杆に対して少なくとも回転しない部材である支持部Ｄ，Ｄ’の内面ＤＳ，ＤＳ’に脚部端部外面を当接させている。図の上下で言って、各支持部は中心ＰＯよりも下側にあり（半円以上であり）、夫々の内面ＤＳ，ＤＳ’が図示のように各内面の下側が互いに近づくように、しかも左右対称状に傾斜している。従って、これらの内面から反力を受けるばね部材１２６は上方向Ｒに向かう力を受け、結局凸部は中心ＰＯから半径方向Ｒに付勢されることになる。
【００３３】
一方、ナット本体部を含み、これと共に回転するナット部の内面には、円周方向に凹凸部Ｋが形成されており、これが係合部である。このため、ナット部が回転すればクリック音を発生する。なお、各脚部の端部には折曲部１２６Ｋ，１２６Ｋ’を形成しており、これが各支持部端面に係止して、クリック音発生時等にばね部材１２６が支持部から外れることを防止している。
上記のようにクリック機構の主たる部材が概ね円弧形状を成しているため、竿杆やそれに固定しているリールシート本体等の外周に沿って設置でき、設置スペースが小さくて済み、リール装着部のコンパクト化に寄与する。以下の形態のクリック機構も同様である。また、左右対称形状ゆえ、ばね部材の作動がより安定している。
【００３４】
図１３は図１２の変形形態の原理図であり、異なるところはばね部材１２６が半円未満であり、支持部Ｅ，Ｅ’の外側面ＥＳ，ＥＳ’に当接して押圧されることである。この両支持部の外側面は、上側が互いに近づくように、しかも左右対称状に傾斜している。このばね部材１２６のフリー状態は、各脚部が図１３の広がった状態よりも互いに近づいた状態であるため、図のように各支持部に装着されて広げられた状態では、脚部が互いに近づこうとする力が作用し、その結果、凸部１２６Ｔを半径方向Ｒに付勢する。従って、ナット部内面の係合部Ｋに係合する。
【００３５】
図１４は図１２に対する他の変形形態のクリック機構の原理図であると共に本発明に係る釣竿におけるクリック機構の原理図である。中心ＰＯの左右に、概ね直径上に（概ね１８０度離隔して）ばね部材としてのコイルばね１２７Ａ，１２７Ａ’が配設されている。このコイルばねは竿杆又は竿杆に固定されたリールシート本体に対して概ねその円周方向に（接線方向に）ばね力を発するように取り付けている。これらのばね部材に連結され、付勢される概ね円弧形状の脚部１３６Ａ，１３６Ａ’の頂部位置に凸部１３６Ｔが設けられている。前記両ばね部材の付勢力によって凸部は半径方向Ｒに付勢される。一方、ナット部内面には円周方向に亘る凹凸状の係合部Ｋが設けられており、前記凸部はここに係合する。この各脚部は図１２や図１３のようにばね部材で形成することがクリック音の反響のために好ましい。
【００３６】
図１５は、リール装着部のコンパクトさを保持しつつ概ね軸長方向にばね力を作用させるクリック機構に使用するばね部材１４６を図示している。右側の矢視線Ｐ−Ｐによる断面を左側に図示している。即ち、環状の板部材のばね部材１４６の半円領域を内外２つの半環状部に分割し、ここでは内側を板面に垂直な方向に押し出すように傾斜状に折り曲げ形成し、その中央（頂部）の凸部１４６Ｔを最も先位置にまで押し出し、ここをナット部端面の係合部に係合させる。その付勢力は凸部１４６Ｔの両側に延伸する１／４円の円弧形状の脚部１４６Ａ，１４６Ａ’で生じる。また、この脚部は一方のみであってもよいが、両方にあることで作動が安定する。この板部材の代わりに、線材でばね部材を形成してもよいことは勿論である。
【００３７】
上記図１５のばね部材を組み込んだ状態を示す縦断面図を図１６に示す。構造が図５に類似しているため、図５と異なるところを主に説明する。連結部材１２０”はその移動フード部側の連結凹凸部１２０Ａ”を移動フード部１１６に係合させており、移動フード部から遠い側の連結凹凸部１２０Ｂ”をナット本体部１１８”に外側から係合させ、ここを相対回転自在に構成している。また、連結部材は溝１１２Ｍに係合しており、ナット部の回転時に連れ回りすることなく、移動フード部と共に前後に移動する。従って、ここでの連結部材は移動フード部の一部と考える。連結凹凸部１２０Ａ”と移動フード部１１６とは回転自在に係合していても、また固定していてもよい。
【００３８】
ナット部の移動フード部側の端部面には凹凸係合部１１８Ｋ”が設けられており、この端部面と、連結部材の移動フード部との連結機構部との間の空間領域に前記ばね部材１４６を配設している。ばね部材の傾斜状の折り曲げ形成部以外の環状部は、軸長方向に対して概ね垂直な連結部材１２０”の垂直面に当接係止させ、凸部１４６Ｔが係合部１１８Ｋ”と係脱してクリック音を発生させる際に受ける反力により、軸長方向に押しやられないように、また、回転しないように保持している。
【００３９】
【発明の効果】
以上の説明から明らかなように本発明によれば、リール脚固定の不用意な弛みを防止すると共に、もし弛んだ際にそのことを認識できるリール装着式釣竿が提供できる。
【図面の簡単な説明】
【図１】  図１は本発明に係る釣竿の参考の要部側面図である。
【図２】  図２は図１の矢視線Ｂ−Ｂによる拡大横断面図である。
【図３】  図３は図１のＣ部の拡大縦断面図である。
【図４】  図４は図３に代わる第２参考形態例の要部縦断面図である。
【図５】  図５は第３参考形態例の要部縦断面図である。
【図６】  図６は第３参考形態例までに使用のクリック機構の一部品図である。
【図７】  図７は第４参考形態例の釣竿の要部側面図である。
【図８】  図８は図７の要部縦断面図である。
【図９】  図９は図８の矢視線Ｅ−Ｅによる横断面図である。
【図１０】  図１０は第５参考形態例の釣竿の要部縦断面の側面図である。
【図１１】  図１１は図１０の矢視線Ｐ−Ｐによる拡大横断面図である。
【図１２】  図１２はクリック機構の作動原理説明図である。
【図１３】  図１３は図１２のクリック機構の変形形態の説明図である。
【図１４】  図１４は本発明に係る釣竿におけるクリック機構の作動原理説明図である。
【図１５】  図１５は他のばね部材の図である。
【図１６】  図１６は図１５のばね部材を組み込んだリール装着部縦断面図である。
【符号の説明】
１１６                移動フード部
１１８                ナット本体部（ナット部の一部）
１１８Ｋ              係合部
１２０                連結部材（ナット部の一部）
１２６                ばね部材
１２０Ａ              連結凹凸部（連結機構部の一部）
【図１】
0004004000.tif 000002
【図２】
0004004000.tif 000003
【図３】
0004004000.tif 000004
【図４】
0004004000.tif 000005
【図５】
0004004000.tif 000006
【図６】
0004004000.tif 000007
【図７】
0004004000.tif 000008
【図８】
0004004000.tif 000009
【図９】
0004004000.tif 000010
【図１０】
0004004000.tif 000011
【図１１】
0004004000.tif 000012
【図１２】
0004004000.tif 000013
【図１３】
0004004000.tif 000014
【図１４】
0004004000.tif 000015
【図１５】
0004004000.tif 000016
【図１６】
0004004000.tif 000017